(57)【要約】【課題】製作、組立て、開閉が容易で、かつ容器同士を安定して積み重ねることができる折り畳み可能な組立て容器を提供する。【解決手段】左右側板１３，１５に下辺２２，２３を折り返し線として舌片状の底板支持片２４，２４を夫々連設し、底板支持片２４，２４の前部側の内側角部に斜めに折り返し線２５，２５を設けて略三角形の接着部２６を形成し、天板１１に前辺２８を折り返し線として短冊状の天板係止片２９を連設したことを特徴とする。【選択図】図２
2008081177.tif 000002
【特許請求の範囲】
【請求項１】
直方体または立方体の容器の底板に、該底板の前辺および後辺を折り返し線として前記容器の前板および後板を夫々連設し、前記後板に該後板の上辺を折り返し線として前記容器の天板を連設し、前記前板に該前板の左辺および右辺を折り返し線として、前記容器の左側板および右側板を夫々連設し、前記左右側板に該左右側板の上辺および後辺を折り返し線として、舌片状の天板支持片および後板支持片を夫々連設した組立て容器において、
前記左右側板に該左右側板の下辺を折り返し線として舌片状の底板支持片を夫々連設し、前記底板支持片の前部側の内側角部に斜めに折り返し線を設けて略三角形の接着部を形成し、前記天板に該天板の前辺を折り返し線として天板係止片を連設したことを特徴とする組立て容器。
【請求項２】
前記前板の上辺に設けた切欠き部の間に舌片状の挿入片を形成し、これに対応して前記天板係止片に前記挿入片を受け入れる挿入部を形成したことを特徴とする請求項１記載の組立て容器。
【請求項３】
前記前板の上部に前記天板係止片の一部を受け入れる挿入部を形成したことを特徴とする請求項１記載の組立て容器。
【請求項４】
前記挿入部を上側に凸の円弧形状のスリットとして前記前板の両側に前記天板係止片の角部に対応させて夫々設け、前記天板係止片の両端の先端側を先細状に形成したことを特徴とする請求項３記載の組立て容器。
【発明の詳細な説明】
【技術分野】
【０００１】
この発明は、組立て容器に関するものである。
【背景技術】
【０００２】
従来から、不要時には扁平に折り畳むことができ、使用時には容易に組み立てられる箱型の組立て容器が知られている。この組立て容器は、例えば紙製で、折り畳み可能な直方体の箱に把手を設けたものである（例えば、特許文献１参照）。
【特許文献１】特許第２５４６７８７号公報
【発明の開示】
【発明が解決しようとする課題】
【０００３】
しかしながら、上記従来の組立て容器は把手が設けられているため、一つの容器を持ち運ぶには便利であるが、複数の容器を同時に把持して持ち運ぶことは困難である。この把手は折り畳みが可能なように工夫されているが、たとえ把手を折り畳んだとしても、容器の上面には把手による凹凸が形成されている。
このため、例えば手提げ袋等の別の容器に複数の組立て容器を入れて運搬するときに、把手が障害となって容器同士を安定して積み重ねることができなかった。また、例えば冷蔵庫等の収納ケースに収納するときに把手が邪魔になることがあった。また、複数の組立て容器を保管するときにも把手が障害となって安定して積み重ねができず不便であった。
また、容器の組立て時には、把手を構成する２枚の紙片を重ね合わせ、把手の両端部に設けられた係止用の紙片を左右両側板に設けられた被係止片の長孔に片側ずつ挿入して係止させなくてはならず、組立てに手間がかかっていた。同様に、容器を開けて内容物を取り出す際には、把手の両端の係止を一つずつ外さなくてはならず、面倒であった。さらに、把手部周辺を構成する紙片の展開時の形状が複雑であるため、容器の製作が困難であった。
【０００４】
そこで、この発明は、製作、組立て、開閉が容易で、かつ容器同士を安定して積み重ねることができる折り畳み可能な組立て容器を提供することを目的とする。
【課題を解決するための手段】
【０００５】
上記の課題を解決するために、請求項１に記載した発明は、直方体または立方体の容器の底板に、該底板の前辺および後辺を折り返し線として前記容器の前板および後板を夫々連設し、前記後板に該後板の上辺を折り返し線として前記容器の天板を連設し、前記前板に該前板の左辺および右辺を折り返し線として、前記容器の左側板および右側板を夫々連設し、前記左右側板に該左右側板の上辺および後辺を折り返し線として、舌片状の天板支持片および後板支持片を夫々連設した組立て容器において、前記左右側板に該左右側板の下辺を折り返し線として舌片状の底板支持片を夫々連設し、前記底板支持片の前部側の内側角部に斜めに折り返し線を設けて略三角形の接着部を形成し、前記天板に該天板の前辺を折り返し線として短冊状の天板係止片を連設したことを特徴とする。
【０００６】
このように構成することで、従来の組立て容器と比較して平面展開時の形状を簡略化することができる。また、従来の組立て容器と同様に、底板の外表面に接着部を固定し、底板支持片の折り返し線を折り返すことで、左右の側板をそれぞれ底板の外面に重ねるようにして折り畳むことができる。
また、容器の組立て時には底板に重ね合わせるように折り畳まれていた左右の側板をそれぞれ起立させることで、接着部によって底板支持片を介して左右の各側板と連結された底板も起立し、後板と天板を底板と同じ平面に展開させた状態の箱型容器が形成される。続いて、天板支持片および後板支持片を折り返し線に沿って容器の内側に折り返し、後板を起立させて後板支持片に当接させる。さらに、後板と天板の間の折り返し線、および天板と天板係止片との間の折り返し線を折り返し、天板を天板支持片に当接させつつ、天板係支片を前板の内側（後側）の天板支持片との間の隙間に差し込むことで天板を閉じた状態で係止することができる。このとき、天板の上面は凹凸のない平面となっている。
【０００７】
請求項２に記載した発明は、前記前板の上辺に設けた切欠き部の間に舌片状の挿入片を形成し、これに対応して前記天板係止片に前記挿入片を受け入れる挿入部を形成したことを特徴とする。
このように構成することで、天板係止片を前板の内側（後側）に差し込むと同時に、前板上辺に設けた挿入片を天板係止片に設けた挿入部に差し込んで天板を閉じた状態で係止することができる。このとき、天板係止片の外面の一部を切欠き部の間から露出させることができる。さらに、天板係止片に差し込んだ挿入片の上端と天板の下面を当接させて、天板を支持することができる。
【０００８】
請求項３に記載した発明は、前記前板の上部に前記天板係止片の一部を受け入れる挿入部を形成したことを特徴とする。
このように構成することで、天板を閉じる際に、天板に連接した天板係止片を前板の外側（前側）に折り返して前板の外面に当接させ、前板の上部に設けた挿入部に天板係止片の下端部を差し込んで天板を閉じた状態で係止することができる。このとき、天板係止片の前面は挿入部に挿入された下端部を除いて前板の前に露出した状態となっている。また、天板支持片を前板の外側（前側）に折り返すことで、前板の上辺を天板の下面に当接させて天板を支持することができる。
【０００９】
請求項４に記載した発明は、前記挿入部を上側に凸の円弧形状のスリットとして前記前板の両側に前記天板係止片の角部に対応させて夫々設け、前記天板係止片の両端の先端側を先細状に形成したことを特徴とする。
このように構成することで、前板の挿入部に天板係止片の先端部を挿入する際に、天板係止片先端部の両側の角を最初に挿入部に到達させて挿入することができる。また、天板係止片の先端側は先細状で両側に余裕があるので、天板係止片が多少左右にずれたとしても容易に角を挿入部に挿入することができる。その後、天板係止片の先端部をさらに挿入部に押し込むことで、天板係止片先端部の両側が係止され、天板を閉じた状態で係止することができる。また、挿入部が上側を凸とした円弧形状のスリットになっているので、天板係止片の先端部の挿入部に挿入される部分の面積を大きくすることができる。
【発明の効果】
【００１０】
請求項１に記載した発明によれば、組立て容器の平面展開時の形状を簡略化することができるので、従来の組立て容器と比較して製作を容易にすることができる。また、底板の外表面に接着部を固定し、底板支持片に折り返し線を設けたので、従来と同様に不要時には扁平に折り畳むことができる。
また、組立て時には折り畳まれた左右の側板を前板に対して略垂直に起立させるだけで、後板と前板が底板と同じ平面上に開いた箱型の容器が完成するので、組立てが容易である。このとき、後板と天板は底板と同じ平面状に展開されるため、容器の内容物をこれらの上を滑らせるようにして出し入れすることができ、内容物の出し入れが用意である。
また、天板を閉じた状態で係止する際に、天板係止片を前板の内側に差し込むだけでよく、従来と比較して組立て容器の開閉を容易にすることができる。また、天板の上面は凹凸のない平面となっているので、天板の上面に他の組立て容器を安定して積み重ねることができる。
【００１１】
請求項２に記載した発明によれば、天板を閉じた状態で係止する際に、天板係止片を前板の内側に差し込むと同時に、挿入片を挿入部に差し込むだけでよいので、天板を容易に閉じた状態で係止することができる。また、このとき天板係止片の前面の一部を切欠き部の間に露出させることができるので、その露出した部分に指をかけて天板を持ち上げることで、天板を容易に開くことができる。したがって、従来と比較して、組立て容器の開閉を容易にすることができる。
また、挿入片を挿入部に差し込んだことで、前板が撓んで外側に開くことが防止される。さらに、挿入片の上端によって天板を支持することができるので、天板上面に掛かる荷重に対する天板の強度を向上させることができる。
【００１２】
請求項３に記載した発明によれば、天板を閉じて係止する際に、前板の上部に設けた挿入部に天板係止片の先端部を差し込んで係止するだけでよいので、組立て容器を容易に閉じることができる。また、天板係止片の前面が前板の外側（前側）に露出した状態となっているので、そこに指をかけて天板を持ち上げるだけで、組立て容器を容易に開くことができる。したがって、従来よりも組立て容器の開閉を容易にすることができる。
また、天板係止片を挿入部に差し込んだことで、前板が撓んで外側に開くことが防止される。さらに、前板の上辺を天板の下面に当接させて天板を支持することができるので、天板上面に掛かる荷重に対する天板の強度を向上させることができる。
【００１３】
請求項４に記載した発明によれば、天板係止片を先端部の角から挿入部に挿入していくことができるので、天板係止片の挿入部への挿入を容易にすることができる。また、挿入部によって、天板係止片の先端部の両側を係止することができるので、天板を前板に確実に係止することができる。さらに、天板係止片の先端部の挿入部に挿入される部分の面積を大きくすることができるので、天板を確実に係止することができる。
【発明を実施するための最良の形態】
【００１４】
次に、この発明の第１の実施の形態を図面に基づいて説明する。
図１に示すのは直方体の組立て容器が平面状に展開されたものである。図１に示すように、例えば厚紙製の容器１の底板２には図示上側の前辺３を折り返し線として前板４が連設されている。また、底板２には図示下側の後辺５を折り返し線として後板６が連設されている。ここで底板２の図示右側の左辺７および図示左側の右辺８には段差状の切り込み９，９が形成されている。
【００１５】
後板６には図示下側の上辺１０を折り返し線として天板１１が連接されている。また、前板４には図示右側の左辺１２を折り返し線として、左側板１３が連設されている。また、前板４には図示左側の右辺１４を折り返し線として右側板１５が連接されている。
左側板１３および右側板１５には図示上側の上辺１６および上辺１７を折り返し線として舌片状の天板支持片１８，１８が夫々連設されている。また左側板１３には図示右側の後辺１９を折り返し線として舌片状の後板支持片２０が連接されている。同様に右側板１５にも図示左側の後辺２１を折り返し線として舌片状の後板支持片２０が連接されている。
【００１６】
さらに、左側板１３および右側板１５には図示下側の下辺２２，２３を折り返し線として舌片状の底板支持片２４，２４が夫々連設されている。ここで、左右側板１３，１５の横幅Ｗ１と底板支持片２４，２４の横幅Ｗ２を加えた寸法は底板２の横幅Ｗ３と等しいかそれ以下となっている。底板支持片２４，２４の底板２側には、左右側板下辺２２，２３に対して略４５度の角度θで斜めに折り返し線２５，２５が設けられている。この折り返し線２５，２５によって、底板支持片２４，２４の底板２側の角部には略三角形の接着部２６，２６が形成されている。また、接着部２６，２６の底板２側の辺２７，２７は、夫々底板２の左辺７および底板２の右辺８と略平行で、やや離間させて設けられている。また、天板１１には図示下側の天板１１の前辺２８を折り返し線として短冊状の天板係止片２９が連設されている。
ここで、前板４の図示上側の上辺３０の中央部にはくさび形の切欠き部３１，３１が形成されている。この切欠き部３１，３１の間には舌片状の挿入片３２が形成されている。さらに、図示下側の天板係止片２９の中央部には、挿入片３２に対応して挿入片３２を受け入れる略Ｕ字形状のスリットとして挿入部３３が形成されている。
【００１７】
次に、この実施の形態の作用について説明する。
図１に示す底板２の前辺３と前板４の左辺１２および右辺１４を谷折にして左右側板１３，１５および底板２を紙面上側に起立させるように折り返す。続いて、左右側板１３，１５の下辺２２，２３を谷折にして、図２に示すように、底板支持片２４，２４を底板２の図示下側に重ねあわせ、接着部２６，２６を介して底板２に接着する。これにより、底板支持片２４，２４を底板２に固定することができる。底板支持片２４，２４を底板２に固定したことで、底板２、前板４、左右側板１３，１５により後部および上部が開放された箱状の容器１が形成される。このとき、後板６と天板１１は底板２と同じ平面上に展開された状態となっている。
【００１８】
したがって、この箱状の容器１に、例えば菓子等の壊れやすい内容物を収容する際には、内容物を天板１１または後板６の図示上面に載置し、天板１１および後板６上をスライドさせて容器１内部に収容することができる。したがって、後板６が左右側板１３，１５に固定されている場合と比較して壊れやすい内容物に損傷を与えることなく、容易に容器１内に内容物を収容することができる。
【００１９】
また、図２に示す箱状の容器１を使用しないときは、天板１１および後板６を図示上側に持ち上げてゆき、底板２の前辺３を谷折にして底板２を前板４に重ねるように折り返す。これにより、底板２に接着部２６，２６を介して固定された底板支持片２４，２４にも、この底板支持片２４，２４を前板４に重ね合わせるように起立させる力が作用する。しかし、底板支持片２４，２４には、前板４寄りに位置する前部側の内側角部に斜めに折り返し線２５が設けられ、さらに底板支持片２４，２４は夫々左右側板１３，１５の下辺２２，２３に連設されている。このため、底板２を前板４に重ね合わせていくにしたがって、底板支持片２４，２４は左右側板１３，１５による抵抗を受け、起立するのではなく、斜めの折り返し線２５から左右側板１３，１５とともに、図３に示すように底板２の図示上側に重ね合わされるように折り畳まれる。
【００２０】
このとき、左右側板１３，１５の横幅Ｗ１と底板支持片２４，２４の横幅Ｗ２を加えた寸法を底板２の横幅Ｗ３と等しいかそれ以下としたことによって、図３に示すように底板支持片２４，２４が右側板１５または左側板１３と干渉することがない。また、図３に示すように、下側となった左側板１３の後板支持片２０を上側に折返し、その上に右側板１５を重ね合わせることで、箱型であった容器１を扁平に折り畳むことができる。また、図１に示すように、底板２の図示右側の左辺７および図示左側の右辺８に段差状の切り込み９，９を形成したことにより、折り畳み時に底板２の左辺７および右辺８が左右側板１３，１５の内側の面に引っかかることが防止される。
【００２１】
また、図２に示す容器１の後板６と天板１１を閉じ、天板１１を係止して容器１を密閉させた状態にする際には、まず、天板支持片１８，１８および後板支持片２０，２０を左右側板１３，１５の上辺１６，１７および後辺１９，２１の折り返し線に沿って夫々容器１内側に折り返す。次に、後板６を底板２の後辺５の折り返し線に沿って、起立させるように折り返して後板支持片２０，２０に当接させる。そのまま、後板６の上辺１０の折り返し線に沿って容器１の上部を閉じるように天板１１を折り返し、さらに天板１１の前辺２８の折り返し線に沿って天板係止片２９を前板４側に折り返す。
【００２２】
次いで、図４に示すように、前板４側に折り返した天板係止片２９を先端側から、前板４の図示後側で、図２に示す天板支持片１８，１８との間の隙間に挿入する。同時に、前板４の上辺３０の中央部に設けた挿入片３２を天板係止片２９の中央部に設けた挿入部３３に差し込む。そのまま、天板１１の下面が天板支持片１８および挿入片３２の上部に当接するまで、天板係止片２９を差し込んでいく。これにより、天板１１と後板６によって容器１は密閉され、天板１１は閉じた状態で係止される。
【００２３】
したがって、本実施の形態によれば、図４に示すように、天板１１を閉じた状態で係止する際に、天板係止片２９を前板４の内側（図示前側）に差し込むと同時に、挿入片３２を挿入部３３に差し込むだけでよいので、天板１１を容易に閉じた状態で係止することができる。よって、従来と比較して組立て容器１の開閉を容易にすることができる。また、このとき天板係止片２９の前面の一部３４を切欠き部３１，３１の間に露出させることができるので、その露出した天板係止片２９の前面の一部３４に指をかけて天板１１を持ち上げることで、天板１１を容易に開くことができる。したがって、従来と比較して、組立て容器１の開閉を容易にすることができる。
【００２４】
また、図４に示すように、天板１１の上面３５は凹凸のない平面となっているので、天板１１の上面３５に他の組立て容器を安定して積み重ねることができる。また、挿入片３２を挿入部３３に差し込むことで、前板４が撓んで外側に開くことが防止される。さらに、挿入片３２の上端３６によって天板１１を支持することができるので、天板１１の上面３５に掛かる荷重に対する天板１１の強度を向上させることができる。加えて、従来の把手つきのものと比較して、図１に示すように、組立て容器１の平面展開時の形状を簡略化することができるので、従来の組立て容器と比較して製作を容易にすることができる。
【００２５】
また、図２示すように、底板２の外表面（図示下側）に接着部２６を固定し、底板支持片２４，２４に折り返し線２５，２５を設けたので、従来と同様に容器１の不要時には扁平に折り畳むことができる。また、折り畳み時に底板２が左右側板１３，１５に引っかかることが防止されるので、折り畳みが容易である。また、組立て時には折り畳まれた左右側板１３，１５を前板４に対して略垂直に起立させるだけで、後板６と天板１１が底板２と同じ平面上に開いた箱型の容器１が完成するので、容器１の組立てが容易である。
【００２６】
次に、本発明の第２の実施の形態について、図２および図３を援用し、図５および図６を用いて説明する。図５は図１において切欠き部３１，３１、挿入片３２を設けることなく、前板４の上部に天板係止片２９の図示下側の先端部を受け入れる挿入部３７，３７を形成したものである。その他の構成は第１の実施の形態と同様であるので、同一の部分には同一の符号を付して説明は省略する。
図５に示すように、前板４の上部の両側には上側に凸の円弧状のスリットとして挿入部３７，３７が夫々設けられている。この挿入部３７，３７は天板係止片２９の角部３８，３８に対応させて設けられている。
また、図示下側の天板係止片２９の両端は先端側が斜めに切り落とされて、この天板係止片２９が先細状に形成されている。
【００２７】
ここで、図２に示すように、第１の実施の形態と同様に、接着部２６，２６を底板２に固定することで、底板２、前板４、左右側板１３，１５により後部および上部が開放された箱状の容器１’が形成される。
したがって、第１の実施の形態同様、壊れやすい内容物に損傷を与えることなく、箱状の容器１’の内部に、容易に内容物を収容することができる。また、図３に示すように、第１の実施の形態と同様に容器１’を使用しないときは、扁平に折り畳むことができる。
【００２８】
次に、図２に示すように、第１の実施の形態と同様に、底板２、前板４、左右側板１３，１５により後部および上部が開放された状態から、まず、天板支持片１８，１８および後板支持片２０，２０を左右側板１３，１５の上辺１６，１７および後辺１９，２１の折り返し線によって夫々容器１’内側に折り返す。次に、後板６を底板２の後辺５の折り返し線に沿って、起立させるように折り返して後板支持片２０，２０に当接させる。そのまま、後板６の上辺１０の折り返し線に沿って容器１’の上部を閉じるように天板１１を折り返し、さらに天板１１の前辺２８の折り返し線に沿って天板係止片２９を前板４側に折り返す。
【００２９】
次いで、図６に示すように、前板４側に折り返した天板係止片２９の先端側を、前板４の図示前側に当接させ、天板係止片２９の先端側の両側の角部３８，３８を挿入部３７，３７に挿入する。これにより、天板１１と後板６によって容器は密閉され、天板１１は閉じた状態で係止される。このとき、挿入部３７，３７を上側に凸の円弧状のスリットとして設けたことにより、天板係止片２９の角部３８，３８の先端の角３９，３９を挿入部３７，３７に最初に到達させることができる。また、同時に挿入部３７，３７に挿入される角部３８，３８の面積を大きくすることができる。また、天板１１の下面は図５に示す前板４の上辺３０に当接した状態となる。また、天板係止片２９は角部３８，３８以外の前面が前板４の外側（図示前側）に露出した状態となる。
【００３０】
したがって本実施の形態によれば、第１の実施の形態と同様の効果が得られるだけでなく、天板１１を閉じて係止する際に、前板４の上部に設けた挿入部３７，３７に天板係止片２９の下端部の角部３８，３８を差し込んで係止するだけでよいので、容易に組立て容器１を閉じることができる。また、天板係止片２９の前面が前板４の外側（図示前側）に露出した状態となっているので、そこに指をかけて天板１１を持ち上げるだけで、組立て容器１を容易に開くことができる。したがって、従来よりも組立て容器１の開閉を容易にすることができる。
また、天板係止片２９を挿入部３７，３７に差し込んだことで、前板４が撓んで外側に開くことが防止される。さらに、前板４の上辺３０を天板１１の下面に当接させて天板１１を支持することができるので、天板１１の上面３５に掛かる荷重に対する天板１１の強度を向上させることができる。
【００３１】
さらに、天板係止片２９を角部３８，３８の先端の角３９，３９から挿入部３７，３７に挿入していくことができるので、天板係止片２９の挿入部３７，３７への挿入を容易にすることができる。また、挿入部３７，３７によって、天板係止片２９の先端部両側の角部３８，３８を係止することができるので、天板１１を確実に係止することができる。加えて、挿入部を上側が凸の円弧形状のスリットとしたことで、天板係止片２９の先端部の挿入部３７，３７に挿入される部分の面積を大きくすることができるので、天板１１を確実に係止することができる。
【００３２】
尚、この発明は上述した実施の形態に限られるものではなく、底板支持部の接着部を底板に接着する際の手順は、例えば図３のように折り畳んだ状態にしてから接着してもよい。また、接着部は全面を接着しても良いが、必要な強度を満足すれば接着部の一部のみを接着するようにしてもよい。また、挿入部の形状はＵ字形または円弧状でなくてもよい。
また、上述の第２の実施の形態において、天板係止片を前板の内側（後側）に挿入し、天板係止片の角部を挿入部から前板の外側（前側）に挿出させるようにしてもよい。また、組立て容器は厚紙製に限られない。また、底板支持片に切り込み部を設けて、折り畳み時の左右側板の後辺と底板支持片との干渉を軽減することもできる。
【図面の簡単な説明】
【００３３】
【図１】本発明の第１の実施の形態における組立て容器の展開図。
【図２】本発明の第１の実施の形態における組立て容器を開いた状態を示した斜視図。
【図３】本発明の第１の実施の形態における組立て容器を畳む過程を示した斜視図。
【図４】本発明の第１の実施の形態における組立て容器を閉じた状態を示した斜視図。
【図５】本発明の第２の実施の形態における組立て容器の展開図。
【図６】本発明の第２の実施の形態における組立て容器を閉じた状態を示した斜視図
【符号の説明】
【００３４】
１    容器
２    底板
３    前辺
４    前板
５    後辺
６    後板
１０  上辺
１１  天板
１２  左辺
１３  左側板
１４  右辺
１５  右側板
１６  上辺
１７  上辺
１８  天板支持片
１９  後辺
２０  後板支持片
２１  後辺
２２  下辺
２３  下辺
２４  底板支持片
２５  折り返し線
２６  接着部
２８  前辺
２９  天板係止片
３０  上辺
３１  切欠き部
３２  挿入片
３３  挿入部
３７  挿入部
３８  角部
【図１】
2008081177.tif 000003
【図２】
2008081177.tif 000004
【図３】
2008081177.tif 000005
【図４】
2008081177.tif 000006
【図５】
2008081177.tif 000007
【図６】
2008081177.tif 000008